(57)【要約】【課題】使用するときに塗布先１に付着した修正液が塗布先１から剥がれ、修正部に貼りつくので修正部に凹凸ができ平らな修正部ができない。【解決手段】塗布先１が設けられている塗布具２に着脱可能で、なおかつ装着したまま回転可能なキャップ３からなり、キャップ３には側面から内側に向かって固化修正液除去部５がキャップ側面の開口部４から挿し込まれてあり、塗布具２から塗布先１に向かう向きを高さとして、固化修正液除去部５はキャップ３装着時に少なくとも一部が塗布先１と同じになり、押したときに固化修正液除去部５が塗布先１に接触する修正ペンとする。【選択図】図１
2012223907.tif 000002
【特許請求の範囲】
【請求項１】
修正液を収容し、塗布先が設けられている塗布具に着脱可能で、なおかつ装着したまま回転可能なキャップからなり、キャップには側面から内側に向かって固化修正液除去部がキャップ側面の開口部から挿し込まれてあり、塗布具から塗布先に向かう向きを高さとして、固化修正液除去部はキャップ装着時に少なくとも一部が塗布先と同じになり、押したときに固化修正液除去部が塗布先に接触する修正ペン。
【請求項２】
前記固化修正液除去部が、クリップと一体になっていることを特徴とする請求項1記載の修正ペン。
【請求項３】
前記修正液除去部の前記キャップ内部側に閉塞部を設けることにより、前記固化修正液除去部を挿し込む開口部を前記固化修正液除去部を押していない状態のとき塞ぎ、修正液が乾燥固化するのを軽減する機能を持ったことを特徴とする請求項1又は2記載の修正ペン。
【請求項４】
修正液を収容する塗布具があり、塗布具先端に塗布先が設けられている塗布具に着脱可能で、なおかつ装着したまま回転可能で柔らかい素材でできたキャップからなり、キャップには側面から内側に向かって固化修正液除去部があり、塗布具から塗布先に向かう向きを高さとして、固化修正液除去部はキャップ装着時に少なくとも一部が塗布先と同じになり、キャップ側面を押したときに固化修正液除去部が塗布先に接触する修正ペン。
【発明の詳細な説明】
【技術分野】
【０００１】
本発明は修正ペンの塗布先に修正液が乾燥固化し付着する修正ペンに関する。
【背景技術】
【０００２】
修正する手段として修正ペン、修正テープが一般的に広く知られている。修正ペンはさまざまな種類、ボールペンタイプのもの、先端弁のタイプのものがよく知られている。
修正ペンは、塗布先に修正液が付着、乾燥することによって次に使用するときに塗布先に付着した修正液が塗布先から剥がれ、紙などの修正部に貼りつくので修正部に凹凸ができ平らな修正部ができなかった。また、塗布先に修正液が付着、乾燥していることにより、塗布先の形がいびつになっているため修正液がどのように出てくるかが視覚的に分かりにくくなり、細かい修正が困難になっていることも多かった。
【０００３】
特許文献１では、修正液を収容する塗布具本体に着脱自在に接続可能なキャップ本体と、このキャップ本体の少なくとも内部に開口部が存するように取り付けられ、操作によって前後動可能な筒状部材とから少なくともなり、この筒状部材の内部に、前記前後動によって塗布具本体に備えられた塗布先に周状当接する掻き取り部を形成した修正液塗布具用キャップが開示されている
【０００４】
【特許文献１】特開２００９−１３２１０９
【発明の開示】
【発明が解決しようとする課題】
【０００５】
修正ペンの塗布先に修正液が付着、乾燥することによって起こる不都合、使用するときに塗布先に付着した修正液が塗布先から剥がれ、修正部に貼りつくので修正部に凹凸ができ平らな修正部ができない。
また、塗布先の形がいびつになっているため修正液がどのように出てくるかが視覚的に分かりにくくなり、細かい修正が困難になっている。
特許文献１記載の「修正液塗布具用キャップ」では、修正ペン塗布先に周状当接する掻き取り部を修正ペンの塗布先を押さえる方向に動かすことにより塗布先に付着固化した修正液を取り除くため、新たな修正液が出てくる恐れがある。また構造的に取り除かれた乾燥固化した修正液がキャップにたまりやすい。そして、塗布先に付着した修正液が乾燥していない状態で、修正ペンの塗布先に周状当接する掻き取り部を修正ペンの塗布先を押さえる方向に動かすことにより塗布先に付着した修正液を取り除く動作をすると、周状当接する掻き取り部に修正液が付着、乾燥するため機能が下がる。また、構造が複雑なためコストがかかる。
【０００６】
本発明は、このような従来の構成が有していた問題を解決しようとするものであり、修正ペンの塗布先に付着、乾燥した修正液を取り除く機能を持たせた修正ペンを実現することを目的とする。
【課題を解決するための手段】
【０００７】
本発明は課題の解決手段として、修正液を収容し、塗布先が設けられている塗布具に着脱可能で、なおかつ装着したまま回転可能なキャップからなり、キャップには側面から内側に向かって固化修正液除去部がキャップ側面の開口部から挿し込まれてあり、塗布具から塗布先に向かう向きを高さとして、固化修正液除去部はキャップ装着時に少なくとも一部が塗布先と同じになり、押したときに固化修正液除去部が塗布先に接触する。
【発明の効果】
【０００８】
上記の課題解決手段による効果は次の通りである。固化修正液除去部を押しつけることにより修正ペンの塗布先に固化修正液除去部が接触する。この状態でキャップを回転させることによって修正ペンの塗布先に付着した乾燥固化した修正液を取り除く。
【図面の簡単な説明】
【０００９】
【図１】本発明の実施例１を示す修正ペンの部分断面図
【図２】本発明の固化修正液除去部の動作説明図
【図３】本発明の実施例２を示す修正ペンの部分断面図
【図４】本発明の実施例３を示す修正ペンの部分断面図
【図５】本発明の実施例３の開口部付近の断面図
【図６】本発明の実施例４を示す修正ペンの部分断面図
【発明を実施するための最良の形態】
【００１０】
本発明は修正液を収容し、塗布先が設けられている塗布具に、着脱可能で装着したまま回転可能な、一方が閉じた円筒形のキャップを持つ修正ペンに好適に使用できるものである。
【実施例１】
【００１１】
以下、実施例１の構造を説明する。
修正液を収容し、塗布先１が設けられている塗布具２に、着脱可能で装着したまま回転可能な、一方が閉じた円筒形のキャップ３がある。このキャップ３にはクリップ６、側面に開口部４が設けられている。この開口部４にキャップ３側面から内側に向けてクリップ６と一体となり、内側に突出した棒体の固化修正液除去部５が挿し込まれている。
【００１２】
以下、実施例１の動作説明をする。
乾燥固化した修正液が塗布先１に付着している状態で、固化修正液除去部５の先端を塗布先１に接触するまで押し込む。この押し込まれた状態を保ったままキャップ３を回転させる。図２の（a）〜(d)の順に矢印の動作によって乾燥固化した修正液は塗布先１より取り除かれ、クリップ６の復元力により固化修正液除去部５は押し込む前の位置に戻る。
【実施例２】
【００１３】
以下、実施例２の構造を実施例１と異なる部分を主として説明する。
キャップ３aにはクリップ６がなく、固化修正液除去部５aはクリップ６と一体となっていない。
【００１４】
以下、実施例２の動作説明をする。
乾燥固化した修正液が塗布先１に付着している状態で、固化修正液除去部５aの先端を塗布先１に接触するまで押し込む。この押し込まれた状態を保ったままキャップ３aを回転させる。図２の（a）〜(d)の順に矢印の動作によって乾燥固化した修正液は塗布先１より取り除かれる。
【実施例３】
【００１５】
以下、実施例３の構造を実施例１と異なる部分を主として説明する。
固化修正液除去部５ｂには、キャップ３側面から内側に向けて閉塞部７が設けられている。図５の(a)、(b)に固化修正液除去部５ｂが押し込まれている状態と、押し込まれていない状態を示す。
【００１６】
以下、実施例３の動作説明を実施例１と異なる部分を主としてする。
固化修正液除去部５ｂが押し込まれていない状態では図５の(ｂ)のように閉塞部７が開口部４を塞ぎ、キャップ３内を密閉状態にして修正液の乾燥を防ぐ。
【実施例４】
【００１７】
以下、実施例４の構造を実施例１と異なる部分を主として説明する。
キャップ３aの修正ペン塗布先周囲周辺が柔らかい材料、例えばシリコンゴム素材でできている。
【００１８】
以下、上記構成の動作説明をする。
乾燥固化した修正液が塗布先１に付着している状態で、固化修正液除去部５をキャップ３a側面の柔らかい材料が塗布先１に接触するまで押し込む。この押し込まれた状態を保ったままキャップを回転させる。図２の（a）〜(d)の順に矢印の動作によって乾燥固化した修正液は塗布先１より取り除かれ、クリップ６の復元力により固化修正液除去部５は押し込む前の位置に戻る。
【符号の説明】
【００１９】
１     塗布先
２     塗布具
３     キャップ
４     開口部
５     固化修正液除去部
６     クリップ
７     閉塞部
８     乾燥固化した修正液
【図１】
2012223907.tif 000003
【図２】
2012223907.tif 000004
【図３】
2012223907.tif 000005
【図４】
2012223907.tif 000006
【図５】
2012223907.tif 000007
【図６】
2012223907.tif 000008
【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
修正液を収容し塗布先が設けられている塗布具、及び、該塗布具に着脱可能で且つ装着したまま回転可能なキャップ、とからなり、キャップには側面から内側に向かって固化修正液除去部がキャップ側面の開口部から挿し込まれてあり、塗布具から塗布先に向かう向きを高さとして、固化修正液除去部はキャップ装着時に少なくとも一部が塗布先と同じになり、押したときに固化修正液除去部が塗布先に接触する修正ペン。
【請求項２】
前記固化修正液除去部が、クリップと一体になっていることを特徴とする請求項１記載の修正ペン。
【請求項３】
前記固化修正液除去部の前記キャップ内部側に閉塞部を設けることにより、前記固化修正液除去部を挿し込む開口部を前記固化修正液除去部を押していない状態のとき塞ぎ、修正液が乾燥固化するのを軽減する機能を持ったことを特徴とする請求項１又は２記載の修正ペン。
【請求項４】
修正液を収容し塗布先が設けられている塗布具、及び、該塗布具に着脱可能で且つ装着したまま回転可能であり、柔らかい素材でできたキャップ、とからなり、キャップには側面から内側に向かって固化修正液除去部があり、塗布具から塗布先に向かう向きを高さとして、固化修正液除去部はキャップ装着時に少なくとも一部が塗布先と同じになり、キャップ側面を押したときに固化修正液除去部が塗布先に接触する修正ペン。
【手続補正書】
【提出日】平成24年5月9日(2012.5.9)
【手続補正１】
【補正対象書類名】特許請求の範囲
【補正対象項目名】全文
【補正方法】変更
【補正の内容】
【特許請求の範囲】
【請求項１】
修正液を収容し塗布先が設けられている塗布具、及び、該塗布具に着脱可能で且つ装着したまま回転可能なキャップ、とからなり、キャップには側面から内側に向かって固化修正液除去部がキャップ側面の開口部から挿し込まれてあり、塗布具から塗布先に向かう向きを高さとして、固化修正液除去部はキャップ装着時に少なくとも一部が塗布先と同じになり、押したときに固化修正液除去部が塗布先に接触する修正ペン。
【請求項２】
前記固化修正液除去部が、クリップと一体になっていることを特徴とする請求項１記載の修正ペン。
【請求項３】
前記固化修正液除去部の前記キャップ内部側に閉塞部を設けることにより、前記固化修正液除去部を挿し込む開口部を前記固化修正液除去部を押していない状態のとき塞ぎ、修正液が乾燥固化するのを軽減する機能を持ったことを特徴とする請求項１又は２記載の修正ペン。
【請求項４】
修正液を収容し塗布先が設けられている塗布具、及び、該塗布具に着脱可能で且つ装着したまま回転可能であり、柔らかい素材でできたキャップ、とからなり、キャップには、外側からキャップの側面を内側に向かって押し込むための固化修正液除去部が設けられ、該固化修正液除去部を押したときに、該固化修正液除去部がキャップの側面を内側に向かって押し込むことで、該キャップの側面が塗布先に接触する修正ペン。